(57)【要約】【課題】  ロングスカートのような丈の長い衣類を着用しながら、浴室などの清掃作業をした際、スカート部への水はねや、裾部が床面に接触する事による水分の吸着など、スカート部を丸ごと包み込むことによって防ぐ作業用エプロンを提供する。【解決手段】  この作業用エプロン１は、合成樹脂による非透水性素材を使用し、胴回り２、腿３、裾４を絞り込み可能とし、中央には開閉可能なファスナー７を縫合することでロングスカートのような丈の長い衣類を丸ごと包み込むことを特徴とする。【選択図】  図１
2006169681.tif 000002
【特許請求の範囲】
【請求項１】
材質をナイロンやポリエステルなどの合成樹脂による非透水性素材を用いて作られた作業用エプロンであり、胴回り折り返し部には伸縮帯の両端に紐を縫合したものを通し又、腿と裾には伸縮帯のみを通して３箇所を絞り込み可能にした作業用エプロン。
【請求項２】
前記エプロンの左右両端にスライダの移動によって開閉可能なファスナーを縫合して着脱を自在にし、円筒状になることを目的とした請求項１記載の作業用エプロン。
【請求項３】
前記エプロンは、胴回り位置から膝位置までを覆うエプロンでポケットを有し、胴回りの紐は前中心でも後ろ中心でも結ぶことを可能とし、各作業に合った効果をもたらす事を目的とした請求項２記載の作業用エプロン。  
【発明の詳細な説明】
【技術分野】
【０００１】
本発明は、主に家庭内における台所での諸作業の他、特に浴室や車などの水を使用した清掃作業の際着用するエプロンとして、好適な作業用エプロンに関する。
【背景技術】
【０００２】
従来の家庭用におけるエプロンは、胸当てつきのエプロン、胴回り位置から下を覆う前掛け、袖部を縫合した割烹着様のものが主流であった。
【０００３】
特に浴室や車などの水を使用した清掃作業の際に、ロングスカートのような丈の長い衣類を着用していた場合裾部が床面に接触して水分の吸着を起こしたり、衣類の表面に水跳ねを受けるなど不快を感じつつ作業をしていた。    
【０００４】
そこで特に浴室の清掃時には上記のような不快感を避ける為に、丈の長い衣類の裾を下履きに挟み込んで作業をすることもしばしばあった。また丈の長い衣類が家事に不向きと判
断し家庭内での女性のお洒落の巾が限られていた。
【０００５】
なお、本願発明に関連する公知技術として、次の実用新案文献１を挙げることができる。
【特許文献１】実用新案登録第３０２９１３９号公報
【発明の開示】
【発明が解決しようとする課題】
【０００６】
通常の台所での諸作業の内、特に食後の食器洗浄の際に受ける水の跳ね返りにより毎回衣類をぬらしていた。
【０００７】
また浴室や車などの水を使用した清掃作業の際にロングスカートのような丈の長い衣類を着用していた場合、裾や衣類の表面に水の吸着や水跳ねを受け不快であった。
【０００８】
このため、ロングスカートのような丈の長い衣類が家事に不向きと判断し、作業の際にズボンに履き替えたり家庭着をズボンに限定する女性が少なくない。
【０００９】
よって家庭内では、女性のお洒落の巾が非常に狭くなっている。
【００１０】
通常エプロンは衣類のようにサイズは無く、体の痩せている人も太っている人も同一のサイズのものを着用している。
【００１１】
本発明は、上記の課題を解決するものでありその着用性は快適で衣類を、水、汚れから保護すると同時に、女性のお洒落を満足させることを目的とする作業用エプロンを提供する
ものである。
【課題を解決するための手段】
【００１２】
上記の目的を達成するために本発明の作業用エプロンは、材質をナイロンやポリエステルなどの合成趣旨による非透水性素材を用いて作られた作業用エプロンであり、胴回り筒状折り返し部には伸縮帯の両端に紐を縫合したものを通し、また腿と裾には伸縮帯のみを通して３箇所を絞り込み可能とすることを特徴とする。
【００１３】
前記エプロンの左右両端にスライダーの移動によって開閉可能なファスナーを縫合し着脱を自在にし円筒状になることを特徴とする。
【００１４】
胴回り位置から膝丈位置までを覆うエプロンでポケットを有し、胴回り部の紐は前中心でも後ろ中心でも結ぶことを可能とする。
【発明の効果】
【００１５】
以上説明したように本発明の作業用エプロンによれば、通常の台所での諸作行事のエプロンとしての機能はもちろん、特に浴室や車などの水を使用した清掃作業の際に材質が合成樹脂による非透水性素材を使用し、胴回り部と腿と裾の３箇所を絞り込み可能とし、エプロン本体の左右両端に開閉可能なファスナーを縫合することを特徴とする本作業用エプロンの使用によって、ロングスカートのような丈の長い衣類を着用していてもスカート部を丸ごと包み込むことを可能とし、これまでのようなスカートと床の接触による水の吸着や水跳ねなどの不快感から開放される。よってこの作業用エプロンの使用により、これまでロングスカートのような丈の長い衣類の着用を諦めていた女性たちも家庭内においてお洒落の巾が断然広がり、また本作業用エプロンは、材質が安価であり発色が鮮やかでなおかつ柄が豊富であるため高い実用性と家事が楽しくなりそうなファッション性が期待できるものである。  
【発明を実施するための最良の形態】
【００１６】
以下  本発明の実施の形態を図面に基ずき詳細を説明する。
【００１７】
図１は、本発明の外観正面図であり、図２、図３は通常の台所での緒作業時に着用した状態の正面図と背面図である。図４、図５は主に丈の長い衣類を着用して浴室や車など、水を使用した清掃時に作業用エプロンとして着用した状態の正面図と背面図である。図６は、主に胴回り筒状折り返し部とその中を通る伸縮帯の両端に縫合した紐の拡大正面図である。  
【００１８】
１はエプロン本体であり、その材質はナイロンやポリエステルなどの合成樹脂による非透水性素材を用いて作られており、胴回り位置から膝丈位置までを覆うエプロンである。またポケット６を有し、これは１つに限られたものではない。
【００１９】
図１に示した本体１の左右両端の巾は、腰回り寸法の１．５倍から１．７倍が好ましく理想的なゆとりが生じる。最初に左右両端を１ｃｍほど折り返し、縁の始末をしておく。
そして、本体1の上縁部は図6に示すように筒状2になるように折り返し、伸縮帯9の両端に縫合した紐５がその中を通るようにする。なお伸縮帯9の長さは、胴回り寸法の半分程度が望ましく胴回りで使う伸縮帯及び紐の巾も、２ｃｍから3ｃｍほどが好ましい。一方伸縮帯に連結した紐5の長さは、中心で結ぶゆとりを考慮して片側60ｃｍ程度とする。
【００２０】
腿位置3と裾位置4に、巾1ｃｍ程度の伸縮帯を通すために本体1の裏面より、同3，4の位置にテープ状のあて布8を縫合する。その上で上記胴回り位置2には、伸縮帯に紐を連結したものを、また腿位置3と裾位置4には伸縮帯のみを通す。なお胴回り筒状折り返し部2より紐5が抜け落ちないために、中心位置10を合わせて上から縫合しておく必要がある。
【００２１】
以上、胴回り位置2と腿位置3と裾位置4を絞り込み可能な状態にすることにより、ロングスカートのような丈の長い衣類もしっかりと包み込んで固定することが可能となる。また、この裾巾の伸縮の程度は両足が肩幅以上開くので楽に浴槽を跨げるもので、動作が制約されず不快な窮屈感が無い。
【００２２】
次に、エプロン本体1の左右両端にスライダーの移動によって開閉可能なファスナー7を縫合する。この部分の着脱手段は、他にボタン、スナップ、ホック、結び紐、面ファスナーなどいろいろな固着部材を採用することができるが、この作業用エプロン図1については、手早さ手軽さ水の浸入を防ぐという観点から考えて一番理想的と思われる。
【００２３】
上記、スライダーの移動によって開閉可能なファスナー7を縫合することによって通常のエプロンの形態図1、図2から円筒状の防水カバー図4、図5に形態が変化することができる。その最大の目的は、1枚の作業用エプロンの着用方法の違いによって、作業の場面に合わせた効果が期待できるからである。
【００２４】
上記、作業の場面に合わせた効果とは、今まで女性の家事労働の中に台所での炊事の他、浴室など水を使用した清掃作業があるが、ロングスカートのような丈の長い衣類の着用時などは、衣類の裾が床面に接触して水分の吸着を起こしたり、衣類の表面に水跳ねを受けるなどしてとても不快に感じて
いた。そこで、衣類を下履きに挟み込んだり家庭着として丈の長い衣類の着用を諦めていたが、この
作業用のエプロン図3、図4の使用によりこのようなさまざまな思いを一掃することができる。
【００２５】
また、本体1の材質がナイロン、ポリエステルといった合成樹脂の使用により安価で発色が鮮やかで，尚且つ柄が豊富なため華やかで高いファッション性のエプロンに仕上がる。さらには今までズボンに偏りがちであった女性達の家庭着が、この図1のエプロンの使用によってお洒落の巾が断然広がる。
【００２６】
本発明の作業用エプロン図3、図4の着用方法は、着用前にスライダーの移動によってファスナー7を閉めて円筒状にしておくことが望ましい。その次に、丈の長い衣類を着用した状態で両足を胴回り部２の中へ入れ、そのまま円筒状のエプロン図３を自身の胴回り位置まで持ち上げる。同時に丈の長い衣類は、すっぽりと円筒状のエプロン図3の中に包み込まれる。最後に伸縮帯に連結した紐5を、自身の胴回り寸法に最適となるように結ぶ。着用方法はこれに限らず、先に紐を締めてその後ファスナー7を閉め最後に丈の長い衣類を自らエプロンの内側に仕舞い込む方法もある。
【００２７】
従来のエプロンは、衣類のように各サイズが無いが本発明のエプロン図1は、痩せている人も太っている人も胴回り寸法は伸縮自在の形状図6なので、好みに合わせて紐を結ぶことができる。また、腿3と裾4に通った伸縮帯も適度な締め付けなので活動しやすい。その他ポッケトを1つ以上つけることによってデザイン上のポイントにもなるし、利便性も高じる。
【００２８】
本発明の作業用エプロン図1は、家庭内の作業に限らず洗車、ガーデニングなど屋外での作業で
も実用的に着用できる。
【図面の簡単な説明】
【００２９】
【図１】本発明の作業用エプロンの正面図である。
【図２】台所で着用した状態の正面図である。
【図３】台所で着用した状態の背面図である。
【図４】浴室等で着用した状態の正面図である。
【図５】浴室等で着用した状態の背面図である。
【図６】胴回り筒状折り返し部と、その中を通る伸縮帯の両端に縫合した紐の拡大正面図である。
【符号の説明】
【００３０】
１−エプロン本体
２−胴回り筒状折り返し部
３−腿位置の伸縮帯通し部
４−裾位置の伸縮帯通し部
５−結び紐
６−ポケット
７−開閉可能なファスナー
８−テープ状あて布
９−胴回り部の伸縮帯
１０−中心位置の縫合部
【図１】
2006169681.tif 000003
【図２】
2006169681.tif 000004
【図３】
2006169681.tif 000005
【図４】
2006169681.tif 000006
【図５】
2006169681.tif 000007
【図６】
2006169681.tif 000008